(57)【要約】【課題】  パネルユニットの枠が目立たず、すっきりとした外観意匠にできるカーテンウォールの提供。【解決手段】  パネルユニット１，１，…と、パネルユニット１，１，…を支持する支持部材２と、パネルユニット１の自重を支持部材２に伝える自重伝達部材３，３とを備え、パネルユニット１は、ガラス４と上下枠５，６とガラス４を受けるセッティングブロック７，７を有し、セッティングブロック７，７は、下枠６の長手方向両端部に設けてあり、自重伝達部材３，３は、セッティングブロック７，７よりも長手方向中央部側に位置している。【選択図】      図１
2018184740.tif 000002
【特許請求の範囲】
【請求項１】
パネルユニットと、パネルユニットを支持する支持部材と、パネルユニットの自重を支持部材に伝える自重伝達部材とを備え、パネルユニットは、ガラスと上下枠とガラスを受けるセッティングブロックを有し、セッティングブロックは、下枠の長手方向両端部に設けてあり、自重伝達部材は、セッティングブロックよりも長手方向中央部側に位置していることを特徴とするカーテンウォール。
【発明の詳細な説明】
【技術分野】
【０００１】
本発明は、カーテンウォールに関する。
【背景技術】
【０００２】
従来より、パネルユニットを上下左右に並べて配置したカーテンウォールが知られている。かかるカーテンウォールは、室外側から見てパネルユニットの枠が目立ち、意匠性が良くない問題があった。特に、パネルユニットの横幅が大きいと、自重による撓みを防ぐために横枠の見付寸法を大きくしなければならず、上記の問題が顕著になる。
【先行技術文献】
【特許文献】
【０００３】
【特許文献１】特開２００２−２８５６７０号公報
【発明の概要】
【発明が解決しようとする課題】
【０００４】
本発明は以上に述べた実情に鑑み、パネルユニットの枠が目立たず、すっきりとした外観意匠にできるカーテンウォールの提供を目的とする。
【課題を解決するための手段】
【０００５】
上記の課題を達成するために請求項１記載の発明によるカーテンウォールは、パネルユニットと、パネルユニットを支持する支持部材と、パネルユニットの自重を支持部材に伝える自重伝達部材とを備え、パネルユニットは、ガラスと上下枠とガラスを受けるセッティングブロックを有し、セッティングブロックは、下枠の長手方向両端部に設けてあり、自重伝達部材は、セッティングブロックよりも長手方向中央部側に位置していることを特徴とする。
【発明の効果】
【０００６】
請求項１記載の発明によるカーテンウォールは、ガラスを受けるセッティングブロックを下枠の長手方向両端部に配置し、パネルユニットの自重を支持部材に伝える自重伝達部材をセッティングブロックよりも長手方向中央部側に配置したことで、枠の見付寸法を小さくしても枠の撓みを防ぐことができるので、パネルユニットの枠が目立たず、すっきりとした外観意匠にできる。
【図面の簡単な説明】
【０００７】
【図１】図３のＡ−Ａ断面図である。
【図２】図３のＢ−Ｂ断面図である。
【図３】本発明のカーテンウォールの一実施形態を示す室外側正面図である。
【図４】図３のＣ−Ｃ断面図である。
【図５】パネルユニットの支持状態を模式的に示す正面図である。
【発明を実施するための形態】
【０００８】
以下、本発明の実施の形態を図面に基づいて説明する。図１〜４は、本発明のカーテンウォールの一実施形態を示している。本カーテンウォールは、図３に示すように、上下寸法に対して左右寸法が大きい横長長方形の複数のパネルユニット１，１，…を、上下方向及び左右方向に並べて配置して構成される。本カーテンウォールは、図４に示すように、建物の一階分がパネルユニット１を上下方向に４つ並べて構成してある。本カーテンウォールは、パネルユニット１，１，…の室内側にパネルユニット１，１，…を支持する支持部材２が設けてある。支持部材２は、図２，４に示すように、建物の躯体８に固定して鉛直に設けた柱部４０と、柱部４０の室外側面にボルト１６で取付けた柱部側連結金具１５と、柱部側連結金具１５の横壁１７上にボルト・ナット１９で取付けたパネルユニット側連結金具１８とを有している。
【０００９】
パネルユニット１は、図１〜３に示すように、アルミ形材よりなる上枠５と下枠６と左右の縦枠３２，３２とを枠組みした枠に、ガラス４を取付けて構成してある。
上枠５は、図２に示すように、室外側に突条よりなるガラス端面対向部９と見付壁１０を有し、ガラス端面対向部９の室外側端部内周側面に室外側ガスケット１１が取付けてあり、見付壁１０の室外側面に室内側ガスケット１２が取付けてあり、室外側ガスケット１１と室内側ガスケット１２とでガラス４の上端部を挟持している。ガラス端面対向部９の室内側には、上向き突条１３を有している。上枠５の室内側には、中空部２１と、中空部２１の上壁から連続して室内側にのびる延出部１４を有している。
【００１０】
支持部材２のパネルユニット側連結金具１８は、図１，２に示すように、室外側に上枠５の長手方向に沿ってのびる矩形断面の棒状の支持部２０を有しており、支持部２０は左右に隣接するパネルユニット１，１の上枠５の延出部１４の下方にまたがってのびており、支持部２０に上枠５の中空部２１をボルト・ナット２２で固定している。
【００１１】
下枠６は、図２に示すように、室外側に突条よりなるガラス端面対向部２３と見付壁２４を有し、ガラス端面対向部２３の室外側端部内周側面に室外側ガスケット１１が取付けてあり、見付壁２４の室外側面に室内側ガスケット１２が取付けてあり、室外側ガスケット１１と室内側ガスケット１２とでガラス４の下端部を挟持している。下枠６の長手方向両端部のガラス端面対向部２３上には、図１，２に示すように、ガラス４を受けるセッティングブロック７が設けてある。ガラス端面対向部２３には、図２に示すように、排水孔２５が設けてあり、ガラス４の室内側に浸入した雨水や結露水は、排水孔２５より室外に排水される。ガラス端面対向部２３の下面にはレインバリアガスケット２６が設けてあり、レインバリアガスケット２６の先端部が下段のパネルユニット１の上枠５上面に当接している。見付壁２４の室内側には、下向きに開口した溝部２７が設けてあり、当該溝部２７に下段のパネルユニット１の上枠５の上向き突条１３を上下方向から嵌合し、上下のパネルユニット１，１を連結している。上枠５の上向き突条１３と下枠６の溝部２７の室内側の垂下片２８とには、図示しない通気孔が設けてあり、上段のパネルユニット１の下枠６と下段のパネルユニット１の上枠５との間を通って室内に外気を導入する外気導入経路２９が設けてある。
【００１２】
下枠６は、図２に示すように、見付壁２４の上部より室内側に延出する延出部３０を有しており、延出部３０の下面に金属製の裏板３１が取付けてあり、ボルトよりなる自重伝達部材３が上方から延出部３０及び裏板３１を貫通して設けてある。自重伝達部材３は、下枠６の長手方向の両側の２箇所に設けてあり、図１に示すように、セッティングブロック７よりも下枠６の長手方向中央部側に位置している。自重伝達部材３は、図２に示すように、下段のパネルユニット１の上枠５の延出部１４を貫通し、ねじ部３ａの先端がパネルユニット側連結金具１８の支持部２０の上面に当接している。これによりパネルユニット１の自重が支持部材２に伝達される。自重伝達部材３は、室内側から工具で回転させることで、ねじ部３ａの裏板３１からの突出長さを調節できる。
【００１３】
図５は、上述のパネルユニット１の支持状態を模式的に示している。パネルユニット１は、下枠６の両端部に配置したセッティングブロック７，７を介してガラス４が下枠６に支持されており、そのままでは下枠６は、ガラス４の自重により図中に二点鎖線で示すように弓なりに撓む。ところが本パネルユニット１は、下枠６のセッティングブロック７，７よりも長手方向中央部側に自重伝達部材３，３が設けてあり、自重伝達部材３，３よりパネルユニット１の自重が支持部材２の支持部２０に伝達され、その反力Ｆにより下枠６は自重伝達部材３，３の位置で上向きに押し上げられ、自重により撓む方向とは逆向き撓ませる方向に力が働くことで、自重による下枠６の撓みを防ぐことができる。これにより本パネルユニット１は、横枠（上枠５，下枠６）の見付寸法を小さくでき、見付寸法を小さくしても撓みを抑えられる。
【００１４】
縦枠３２は、図１に示すように、見付壁３３と見込壁３４とを有するＬ形断面の部材となっており、ガラス４の室内側背面に配置してある。そのため、室外側から見て縦枠３２はガラス４で隠れている。見付壁３３の室外側面にはガスケット３５が取付けてあり、ガスケット３５によりガラス４の側端部を室内側で保持している。すなわちガラス４は、上端部と下端部は室外側ガスケット１１と室内側ガスケット１２で挟持しているが、側端部は室内側のガスケット３５で押さえているだけになっている。
左右のパネルユニット１，１の縦枠３２，３２の室内側には、溝形のつなぎ材３６が縦枠３２の全長にわたって設けてあり、つなぎ材３６により縦枠３２同士をつないでいる。つなぎ材３６の室内側には押しボルト３７が取付けてあり、押しボルト３７の先端を支持部材２の柱部４０に押し付けてある。ガラス４に風圧が作用したときには、先に述べた連結金具１５，１８に加え、前記押しボルト３７を介して支持部材２に力が伝達され、風圧に耐えうる構造になっている。
縦枠３２の見込壁３４の外周側面にはレインバリアガスケット３８が長手方向に沿って設けてあり、隣接する縦枠３２のレインバリアガスケット３８同士が当接している。つなぎ材３６の室外側面には、ウインドバリアガスケット３９が長手方向に沿って設けてあり、縦枠３２，３２の見込壁３４の室内側端部がウインドバリアガスケット３９に当接している。このようにレインバリアガスケット３８、ウインドバリアガスケット３９を設けることで、左右に隣接するパネルユニット１，１の縦枠３２，３２間からの風雨の浸入を防ぐことができる。
【００１５】
次に、本カーテンウォールの施工手順を説明する。まず、予め組み立てたパネルユニット１，１，…を建物の内部に搬入する。次に、建物の内部側からフォークリフト等を使用してパネルユニット１を一枚ずつ持ち上げ、所定の位置に配置して連結金具１５，１８により支持部材２の柱部４０に連結して取付ける。パネルユニット１の取付けは、下段のものから順次行い、下枠６の溝部２７に下段のパネルユニット１の上枠５の上向き突条１３を嵌合すると共に、下枠６に設けた自重伝達部材３のねじ部３ａの先端を下段のパネルユニット１のパネルユニット側連結部材１８の支持部２０に当接し、自重を支持部材２に負担させた上で、上枠５を連結金具１５，１８で支持部材２の柱部４０に連結する。その後、左右に隣接するパネルユニット１，１の縦枠３２，３２にまたがるようにつなぎ材３６を室内側から取付ける。
【００１６】
以上に述べたように本カーテンウォールは、ガラス４を受けるセッティングブロック７，７を下枠６の長手方向両端部に配置し、パネルユニット１の自重を支持部材２に伝える自重伝達部材３，３をセッティングブロック７，７よりも下枠６の長手方向中央部側に配置したことで、枠（上枠５及び下枠６）の見付寸法を小さくしても枠の撓みを防ぐことができるので、パネルユニット１の枠が目立たず、すっきりとした外観意匠にできる。
パネルユニット１が、上下寸法に対して左右寸法が大きいものの場合、ガラスの自重により横枠（特に下枠６）が撓みやすいが、上記のようにガラス４の自重をセッティングブロック７，７よりも長手方向中央部側に配置した自重伝達部材３，３により支持部材２に伝達する構造としたことで、撓みやすい横長のパネルユニット１であっても、横枠の撓みの問題を解消できる。
本カーテンウォールは、上下枠５，６と縦枠３２，３２をガラス４の室内側背面で枠組みしてあり、ガラス４の端面に対向するガラス端面対向部９，２３を上下枠５，６にのみ有しており、ガラス端面対向部９，２３は突条であるため、室外側から見た上下枠５，６の見付寸法を最小限にすることができ、これによりパネルユニット１の枠が目立たず、よりすっきりとした意匠にできる。
【００１７】
本発明は以上に述べた実施形態に限定されない。パネルユニットの大きさ、形状、枠の構成等は、適宜変更することができる。支持部材の構造は問わない。自重伝達部材の形態は、適宜変更することができる。自重伝達部材の位置は、セッティングブロックよりも長手方向中央部側にあればよいが、枠の撓みを最も小さくできる位置に配置するのが好ましい。
【符号の説明】
【００１８】
１  パネルユニット
２  支持部材
３  自重伝達部材
４  ガラス
５  上枠
６  下枠
７  セッティングブロック
【図１】
2018184740.tif 000003
【図２】
2018184740.tif 000004
【図３】
2018184740.tif 000005
【図４】
2018184740.tif 000006
【図５】
2018184740.tif 000007